(57)【要約】【課題】ブルーデイディスク等のパッケージの陳列方法において、面陳列を行なう場合、パッケージの後面を後方から支持するスペーサー等が必要であり陳列作業に手間が掛かる問題点や、スペーサー等を無くしてしまう問題点があった。【解決手段】複数段の棚を有する陳列棚において、棚１に直角又は直角に近い角度を有して接続される第１面板２０と第２面板２１との二つの面板からなる回動支持板２を設け、各回動支持板２の一端辺はそれぞれの棚の後面に棚面と平行に設けられる回動軸３０を中心に回動可能であり、回動支持板２は、回動軸３０の回動によって面陳列用静止状態Ｆと、ブック陳列用静止状態Ｂとの選択が可能である陳列棚によって解決する。【選択図】  図１
2009066270.tif 000002
【特許請求の範囲】
【請求項１】
複数段の棚を有する陳列棚において、棚に直角又は直角に近い角度を有して接続される第１面板と第２面板との二つの面板からなる回動支持板を設け、各回動支持板の一端辺はそれぞれの棚の後面に棚底面及び棚天井面と平行に設けられる回動軸を中心に回動可能であり、回動支持板は、回動軸の回動によって面陳列用静止状態と、ブック陳列用静止状態との選択が可能であることを特徴とする陳列棚。
【請求項２】
複数段の棚を有する陳列棚において、棚に直角又は直角に近い角度を有して接続される第１面板と第２面板との二つの面板からなる回動支持板を設け、各回動支持板の一端辺はそれぞれの棚の後面に棚底面及び棚天井面と平行に設けられる回動軸を中心に略９０度角回動可能であり、回動支持板は略９０度角の回動によって第１面板がその端部を棚底面に接した前面板となり、第２面板が略水平方向を向く面陳列用静止状態と、第１面板が棚上面に近接する状態となり、第２面板が棚上部後面に近接する状態となるブック陳列用静止状態との選択が可能であることを特徴とする陳列棚。
【発明の詳細な説明】
【技術分野】
【０００１】
この発明は、陳列棚に関する。詳細にはブルーレイディスク（ＢＤ）、ＤＶＤ、ＣＤ、書籍等を陳列して販売する陳列棚に関する。
【背景技術】
【０００２】
ＢＤ、ＤＶＤ、ＣＤ、書籍等の展示、陳列は、陳列棚の棚毎にそれぞれの種類毎に置いて展示販売されている。これらの陳列方法としては、ＢＤ、ＤＶＤ、書籍等のパッケージ面（表面）を客側に見せて作品のタイトルや内容をビジュアル的にアピールできる面陳列（フェイス陳列）と、パッケージの厚さ面である背面を見せて数多く陳列するブック陳列という２通りの陳列方法が知られている。
【０００３】
ＢＤ、ＤＶＤ等のソフトを販売する店では、面陳列を行なう場合、これらのＢＤ、ＤＶＤのパッケージの後方にスペーサーや他の商品を重ね置きして寄りかかるものを置いて、パッケージを立てる補助部材としていた。
【発明の開示】
【発明が解決しようとする課題】
【０００４】
近年、新作映画等が内容となるＢＤ、ＤＶＤは、短期間で更新される場合が多く、同種のＢＤ、ＤＶＤのパッケージが多数ある状態と、入荷数が少ない、又は一気に売れて同種のパッケージが少ない状態が頻繁に替わることが多い。
【０００５】
そのため、展示方法としてＢＤ、ＤＶＤ等のパッケージが多数ある場合は、通常ブック陳列として陳列し、パッケージが少数である場合や、パッケージ面（表面）を客側に見せたい場合は面陳列を行なっていた。
【０００６】
しかし、面陳列を行なうためには、パッケージの後面を後方から支持するスペーサー等をわざわざ持ってきて後方支持を行なう必要があり、陳列作業に手間が掛かる問題点があった。
【０００７】
しかもスペーサー等が別体であり、使用が不規則であり作業者も一定しない場合もあって、スペーサー等の不使用時の保管場所が替わったりして無くしてしまう課題があった。
【課題を解決するための手段】
【０００８】
上記課題を解決するために、複数段の棚を有する陳列棚において、棚に直角又は直角に近い角度を有して接続される第１面板と第２面板との二つの面板からなる回動支持板を設け、各回動支持板の一端辺はそれぞれの棚の後面に棚面と平行に設けられる回動軸を中心に回動可能であり、回動支持板は、回動軸の回動によって面陳列用静止状態と、ブック陳列用静止状態との選択が可能であることを特徴とする陳列棚を提案する。
【０００９】
又、複数段の棚を有する陳列棚において、棚に直角又は直角に近い角度を有して接続される第１面板と第２面板との二つの面板からなる回動支持板を設け、各回動支持板の一端辺はそれぞれの棚の後面に棚面と平行に設けられる回動軸を中心に略９０度角回動可能であり、回動支持板は略９０度角の回動によって第１面板がその端部を棚底面に接した前面板となり、第２面板が略水平方向を向く面陳列用静止状態と、第１面板が棚上面に近接する状態となり、第２面板が棚上部後面に近接する状態となるブック陳列用静止状態との選択が可能であることを特徴とする陳列棚を提案する。
【発明の効果】
【００１０】
この発明によれば、棚に設けられている回動支持板を作業者が回動するだけで、面陳列が行える状態と、ブック陳列を行える状態を瞬時に変更できるので陳列の変更作業時間が従来に比べ非常に短くすることができ作業効率が向上した。
【００１１】
更に、面陳列（フェイス陳列）を行なう場合に、スペーサー等の別体の支持部材を必要としないため、無くしてしまうこともなく、保管場所も必要としない利点がある。
【発明を実施するための最良の形態】
【００１２】
次ぎに、この発明の実施形態である陳列棚について、陳列棚を垂直とした状態においての正面図である図１、同じく陳列棚をやや後傾させて置いた状態での回動支持板の静止状態が面陳列用である縦断面図である図２、同じく回動支持板の静止状態がブック陳列用である縦断面図である図３、パッケージを面陳列とブック陳列が交じった状態の部分斜視図である図４に基づいて説明する。
【００１３】
この発明の実施形態を示す陳列棚は、複数段の棚１を有し、この実施例では５段の棚１を有する。各棚１は、棚板１０の上面からなる棚底面１ａ、各棚１の後面となる背面板１１の前面からなる棚後面１ｂ、棚板１０の下面からなる棚天井面１ｃ、各棚１の側面となる側面板１２の内面からなる左右の棚側面１ｄという４つの面で囲まれ、前面が開放された構成である。なお最下段の棚１の底面１ａ及び最上段の棚１の棚天井面１ｃは別の底面板や天井板などで形成してもよい。４は、各棚天井面１ｃの中央部付近に設けられる係止突起である。
【００１４】
各棚１には、それぞれ回動支持板２を設けている。回動支持板２は、２つの長い長方形の平面板である第１面板２０と第２面板２１とを直角又は直角に近い角度を有して接続されてなる。２つの長い第１面板２０と第２平面板２１は、この実施例では９０度角を有して接続、又は折り曲げられて形成される。また第１面板２０と第２面板２１の平面性は、全体として平面状であれば平面に凹凸があってもかまわない。回動支持板２は、第２面板２１の長い端辺部で、それぞれの棚１の棚後面１ｂの中間部に設けられるヒンジ３に固定されており、これにより回動支持板２は、棚後面１ｂに対し９０度角回動可能に設けられている。
【００１５】
ヒンジ３は、ヒンジ回動軸３０を棚１の上面、下面と平行となるように取り付けられる。各棚１にはこの実施例では２つのヒンジ３を設けており、この２つのヒンジ３に１つの回動支持板２の第２平面板２１の一端辺部が固定されて取付けられている。
【００１６】
各回動支持板２は、ヒンジ３のヒンジ回動軸３０を中心に９０度角回動可能である。したがって、回動支持板２が面陳列用の静止状態Ｆでは、二平面のうち第１平面板２０は棚１の開口に近い位置で、少なくとも開口面からＢＤやＤＶＤとのパッケージＰを面陳列可能な寸法を有した位置で、背面版１１と平行な状態であり、その端辺は棚１の棚底面１ａに接して支持されている。この状態のとき第２面板２１は、棚板１０とヒンジ３の高さ位置で平行状態である。図２及び図３に示すこの実施例のように棚全体が後傾している状態では、第１面板２０も後傾し、第２面板２１も傾斜する。
【００１７】
回動支持板２は、面陳列用の静止状態Ｆからヒンジ回動軸３０を中心として９０度角上方に回動させるとブック陳列状態Ｂとなり、回動支持板２をブック陳列用の静止状態Ｂからヒンジ回動軸３０を中心として９０度角下方に回動させると面陳列状態Ｆとなる。
【００１８】
ブック陳列用の静止状態Ｂでは、二平面板のうち第１面板２０が面は棚天井面１ｃとほぼ接する平行状態となり、第２面板２１は、棚後面１ｂの上部と平行でほぼ接した状態である。
【００１９】
次にこの発明の実施形態の作動について説明する。面陳列（フェイス陳列）状態Ｆでは、回動支持板２は、第１面板２０が棚１の開口部に近い位置で板面は、棚後面１ｂと平行な状態であり、第２面板２２は板面がヒンジ３の高さ位置で棚底面１ａ及び棚天井面１ｃと平行な状態である。したがって面陳列するパッケージＰは、その下部を第１面板２０に支えられてパッケージ面ＰＦを客方向に向けて立てることができる。この場合、図２及び図３に示すように陳列棚全体は、約８０度後傾しているため、パッケージＰも後傾するので前方へ倒れることはない。
【００２０】
面陳列（フェイス陳列）状態Ｆからブック陳列状態Ｂとする場合は、変更する棚１の陳列されているパッケージＰを取り除いた後、回動支持板２全体をヒンジ回動軸３０を中心に上方に９０度回動させる。すると第１面板２０は棚天井面１ｃに略接した平行状態になり、第２面板２１は、棚１の棚後面１ｂの上部に平行に接した状態になる。この状態で回動支持板２の第１面板２０は、棚天井面１ｃの中央部に設けられ、天井面から突起している回動支持板係止突起４に当接して前方に回動することはない。
【００２１】
したがってブック陳列状態Ｂでは、棚１は奥行きができ、ブック陳列するパッケージＰは、パッケージＰの背面ＰＢを客方向に向けて多数のパッケージＰを陳列することができる。
【産業上の利用可能性】
【００２２】
この発明は、ブルーレイディスク（ＢＤ）、ＤＶＤ、ＣＤ、書籍等を面陳列とブック陳列が非常に容易に行えるので、これらのＢＤ、ＤＶＤ、ＣＤ、書籍等を展示販売する小売店に陳列棚として利用される。
【図面の簡単な説明】
【００２３】
【図１】この発明の実施形態である陳列棚を垂直とした状態においての正面図
【図２】同じく陳列棚をやや後傾させて置いた状態での回動支持板の静止状態が面陳列用である縦断面図
【図３】同じく回動支持板の静止状態がブック陳列用である縦断面図
【図４】同じくパッケージを面陳列とブック陳列が交じった状態の部分斜視図
【符号の説明】
【００２４】
１  棚
１ａ  棚底面
１ｂ  棚後面
１ｃ  棚天井面
１ｄ  棚側面
１０  棚板
１１  背面板
１２  側面板
２  回動支持板
２０  第１平面板
２１  第２平面板
３  ヒンジ
３０  ヒンジの回動軸
４  回動支持板係止突起    
Ｐ  ＢＤ、ＤＶＤ等のパッケージ
ＰＦ  パッケージの表面（フェイス面）
ＰＢ  パッケージの背面
Ｆ  面陳列用の静止状態
Ｂ  ブック陳列用の静止状態
【図１】
2009066270.tif 000003
【図２】
2009066270.tif 000004
【図３】
2009066270.tif 000005
【図４】
2009066270.tif 000006